(57)【特許請求の範囲】
【請求項１】
継手本体内に差し込まれるパイプに引き抜き力が作用したときに縮径しパイプに食い込んでパイプの抜け出しを規制する抜け止めリングを備えた継手において、
前記継手本体内には、抜け止めリングの縮径に伴って縮径し、パイプを締め付けて抜け出しを補助的に規制する補助リングを備え、
前記補助リングは、抜け止めリングに接触して抜け止めリングの縮径により縮径方向に付勢される接触部と、その接触部の動きに基づきパイプを締め付けてその抜け出しを抑える締付部とを備え、
前記補助リングの締付部内周面には、パイプの外周面に圧接される突出部が設けられ、
前記接触部を補助リングの基端側に設けるとともに、前記突出部を補助リングの先端側に設けたことを特徴とする継手。
【請求項２】
前記継手本体内には、パイプが外嵌される案内筒部が突設され、該案内筒部の先端にはパイプの内周面を押圧し前記補助リングの突出部と協働してパイプの抜け止めを行う鍔部が設けられ、
前記突出部の内周は平坦面に形成されていることを特徴とする請求項１に記載の継手。
【請求項３】
前記抜け止めリングは、円環状のベースリングと、そのベースリングの内周部からパイプの差し込み方向へ傾斜して延びる規制片とを備え、パイプに引き抜き力が作用したとき規制片が傾斜してパイプに食い込むとともに、補助リングの接触部には規制片の傾斜による抜け止めリングの縮径に基づいて縮径方向に付勢され、かつ規制片の傾斜を制限する斜面を有することを特徴とする請求項１または請求項２に記載の継手。
【請求項４】
前記抜け止めリングは、継手本体の先端部とその先端部に螺合される締付ナットとによって回動可能に保持されるとともに、前記補助リングの先端部にはテーパ面が設けられ、締付ナットの内周面には前記テーパ面に係合する傾斜面が設けられていることを特徴とする請求項１から請求項３のいずれか一項に記載の継手。
【請求項５】
前記補助リングの内径は、パイプの外径よりも大きく設定されていることを特徴とする請求項１から請求項４のいずれか一項に記載の継手。
【請求項６】
前記補助リングの外周面には、抜け止めリングに係合して抜け止めリングの軸線に対して傾かないように保持するための保持突起が設けられていることを特徴とする請求項１から請求項５のいずれか一項に記載の継手。
【請求項７】
前記突出部の内周が平坦面に形成されるとともに、突出部の基端部にはパイプに食い込む食い込み用角部が形成されていることを特徴とする請求項１から請求項６のいずれか一項に記載の継手。
【請求項８】
前記補助リングは、その軸線方向から見てＣ型に形成されるか、又は締付部の先端部から保持突起側へ切り込まれたスリットが設けられていることを特徴とする請求項１から請求項７のいずれか一項に記載の継手。
【発明の詳細な説明】
【技術分野】
【０００１】
本発明は、例えば給水、給湯系の配管システムにおいてパイプ（管材）の端部同士又はパイプの端部と水栓器具とを接続するために用いられる継手に関するものである。
【背景技術】
【０００２】
従来より、継手にパイプをワンタッチで接続するための継手が知られている（例えば、特許文献１を参照）。すなわち、この継手は、パイプが接続される円筒形のソケット（継手本体）と、その継手本体に螺着されるキャップ（ナット）と、ナットと継手本体との間に配設されるパイプ保持リング（抜け止めリング）と、抜け止めリングに併設されるバックアップリングとを備えている。バックアップリングは、抜け止めリングに対しパイプ挿入方向の入口側に配置され、その先端には抜け止めリングに設けられた爪の傾斜方向へ突出する突部が形成されている。このように構成された継手においては、パイプに抜け方向の力が加わったとき、バックアップリングにより、抜け止めリングの爪が反り返らないように拘束され、パイプと継手本体との接続が維持されている。
【特許文献１】特開平３−６９８９４号公報（第１頁〜第３頁）
【発明の開示】
【発明が解決しようとする課題】
【０００３】
ところが、特許文献１に記載されている継手においては次のような問題があった。すなわち、パイプに対する抜け止めリングの食い込み量を少なくするようにその内径を大きめに設定した場合、パイプに対して引き抜き力が瞬時に加わったとき抜け止めリングがパイプに十分食い込まないため、抜け止めリングがパイプの外周部を削りながらパイプが継手から抜け出てしまう場合があった。逆に、パイプに対する抜け止めリングの食い込み量を多くするようにその内径を小さめに設定した場合、パイプ挿入時の抵抗が大きくなり、施工がしづらくなるとともに、パイプに引き抜き力が瞬時に加わったとき抜け止めリングの爪がパイプに食い込んでパイプが切断される場合があるという問題があった。
【０００４】
そこで本発明の目的とするところは、接続されたパイプの抜け出しを効果的に抑制することができるとともに、パイプに引き抜き力が瞬時に加わったときでもパイプが切断される事態を回避することができる継手を提供することにある。
【課題を解決するための手段】
【０００５】
上記の目的を達成するために、請求項１に記載の発明の継手は、継手本体内に差し込まれるパイプに引き抜き力が作用したときに縮径しパイプに食い込んでパイプの抜け出しを規制する抜け止めリングを備えた継手において、前記継手本体内には、抜け止めリングの縮径に伴って縮径し、パイプを締め付けて抜け出しを補助的に規制する補助リングを備え、前記補助リングは、抜け止めリングに接触して抜け止めリングの縮径により縮径方向に付勢される接触部と、その接触部の動きに基づきパイプを締め付けてその抜け出しを抑える締付部とを備え、前記補助リングの締付部内周面には、パイプの外周面に圧接される突出部が設けられ、前記接触部を補助リングの基端側に設けるとともに、前記突出部を補助リングの先端側に設けたことを特徴とするものである。
【０００６】
請求項２に記載の発明の継手は、請求項１に係る発明において、前記継手本体内には、パイプが外嵌される案内筒部が突設され、該案内筒部の先端にはパイプの内周面を押圧し前記補助リングの突出部と協働してパイプの抜け止めを行う鍔部が設けられ、前記突出部の内周は平坦面に形成されていることを特徴とするものである。
【０００７】
請求項３に記載の発明の継手は、請求項１または請求項２に係る発明において、前記抜け止めリングは、円環状のベースリングと、そのベースリングの内周部からパイプの差し込み方向へ傾斜して延びる規制片とを備え、パイプに引き抜き力が作用したとき規制片が傾斜してパイプに食い込むとともに、補助リングの接触部には規制片の傾斜による抜け止めリングの縮径に基づいて縮径方向に付勢され、かつ規制片の傾斜を制限する斜面を有することを特徴とするものである。
【０００８】
請求項４に記載の発明の継手は、請求項１から請求項３のいずれかに係る発明において、前記抜け止めリングは、継手本体の先端部とその先端部に螺合される締付ナットとによって回動可能に保持されるとともに、前記補助リングの先端部にはテーパ面が設けられ、締付ナットの内周面には前記テーパ面に係合する傾斜面が設けられていることを特徴とするものである。
【０００９】
請求項５に記載の発明の継手は、請求項１から請求項４のいずれかに係る発明において、前記補助リングの内径は、パイプの外径よりも大きく設定されていることを特徴とするものである。
【００１０】
請求項６に記載の発明の継手は、請求項１から請求項５のいずれかに係る発明において、前記補助リングの外周面には、抜け止めリングに係合して抜け止めリングの軸線に対して傾かないように保持するための保持突起が設けられていることを特徴とするものである。
【００１１】
請求項７に記載の発明の継手は、請求項１から請求項６のいずれかに係る発明において、前記突出部の内周が平坦面に形成されるとともに、突出部の基端部にはパイプに食い込む食い込み用角部が形成されていることを特徴とするものである。
【００１３】
請求項８に記載の発明の継手は、請求項１から請求項７のいずれかに係る発明において、前記補助リングは、その軸線方向から見てＣ型に形成されるか、又は締付部の先端部から保持突起側へ切り込まれたスリットが設けられていることを特徴とするものである。
【発明の効果】
【００１４】
本発明によれば、次のような効果を発揮することができる。
請求項１に記載の発明の継手においては、継手本体内には、抜け止めリングの縮径に伴って縮径し、パイプを締め付けて抜け出しを補助的に規制する補助リングが備えられている。このため、パイプに引き抜き力が加わったとき、その引き抜き力に対して抜け止めリングのパイプへの食い込みに加え、抜け止めリングの縮径に伴う補助リングの縮径でパイプが締め付けられる。さらに、パイプに引き抜き力が瞬時に加わったときにも、抜け止めリングと補助リングとがパイプの抜け止めに協働して作用する。従って、接続されたパイプの抜け出しを効果的に抑制することができるとともに、パイプに引き抜き力が瞬時に加わったときでもパイプが切断される事態を回避することができる。
【００１５】
また、補助リングは、抜け止めリングに接触して抜け止めリングの縮径により縮径方向に付勢される接触部と、その接触部の動きに基づきパイプを締め付けてその抜け出しを抑える締付部とを備えている。このため、パイプに引き抜き力が加わったとき、抜け止めリングの縮径により接触部が縮径方向に付勢され、締付部がパイプを締め付ける。
請求項２に記載の発明の継手では、継手本体内には、パイプが外嵌される案内筒部が突設され、該案内筒部の先端にはパイプの内周面を押圧し前記補助リングの突出部と協働してパイプの抜け止めを行う鍔部が設けられている。従って、補助リングの突出部がパイプを外周部から押圧して締付け、その押圧力によって案内筒部の鍔部がパイプの内周部からパイプを押圧して締付けるため、パイプの抜け止め効果を一層向上させることができる。
【００１６】
請求項３に記載の発明の継手では、抜け止めリングは、円環状のベースリングと、そのベースリングの内周部からパイプの差し込み方向へ傾斜して延びる規制片とを備え、パイプに引き抜き力が作用したとき規制片が傾斜してパイプに食い込むようになっている。また、補助リングの接触部には規制片の傾斜による抜け止めリングの縮径に基づいて縮径方向に付勢され、かつ規制片の傾斜を制限する斜面を有している。このため、パイプに引き抜き力が加わって規制片が傾斜したとき、その傾斜が補助リングの斜面に受け止められる。従って、請求項２に係る発明の効果に加えて、パイプに対する抜け止めリングの規制片の食い込みを抑制することができる。
【００１７】
請求項４に記載の継手では、抜け止めリングは、継手本体の先端部とその先端部に螺合される締付ナットとによって回動可能に保持されるとともに、前記補助リングの先端部にはテーパ面が設けられ、締付ナットの内周面には前記テーパ面に係合する傾斜面が設けられている。このため、パイプに引き抜き力が加わって抜け止めリングを介して補助リングに縮径力が作用したとき、補助リングのテーパ面が締付ナットの傾斜面に係合して補助リングが縮径方向に力を受ける。従って、請求項１から請求項３のいずれかに係る発明の効果に加え、補助リングがパイプを安定した状態で締付けることができる。
【００１８】
請求項５に記載の継手では、補助リングの内径は、パイプの外径よりも大きく設定されていることから、請求項１から請求項４のいずれかに係る発明の効果に加え、継手本体に対するパイプの差し込み時における抵抗を回避でき、差し込み操作を容易に行うことができる。
【００１９】
請求項６に記載の継手では、補助リングの外周面には、抜け止めリングに係合して抜け止めリングの軸線に対して傾かないように保持するための保持突起が設けられていることから、請求項１から請求項５のいずれかに係る発明の効果に加え、補助リングによるパイプの締付け操作を安定して行うことができる。
【００２０】
請求項７に記載の継手では、突出部の内周が平坦面に形成されるとともに、突出部の基端部にはパイプに食い込む食い込み用角部が形成されている。このため、請求項１から請求項６のいずれかに係る発明の効果に加え、補助リングによるパイプの締付け時に突出部の平坦面がパイプの外周面に面接触してパイプを効果的に締付けることができるとともに、食い込み用角部がパイプにしっかりと食い込んでパイプの抜け止め効果を向上させることができる。
【００２２】
請求項８に記載の継手では、補助リングは、その軸線方向から見てＣ型に形成されるか、又は締付部の先端部から保持突起側へ切り込まれたスリットが設けられている。このため、請求項１から請求項７のいずれかに係る発明の効果に加え、補助リングの拡縮が簡単に行われ、パイプの抜け止めを容易に行うことができる。
【発明を実施するための最良の形態】
【００２３】
以下、本発明の最良と思われる実施形態につき、図面を用いて詳細に説明する。
（第１実施形態）
図１に示すように、ワンタッチ継手すなわちパイプ１１を差し込むだけで抜け止め保持することができる継手１０には、例えば水を通すパイプ（管材）１１が接続される。係る継手１０を構成する継手本体１２の基端部には図示しない水道配管等の管体に螺合される雄ねじ部１３が設けられるとともに、先端部には縮径されて延びる案内筒部１４が設けられている。ここで、各部材について図１の左側を基端部（基端側）といい、図１の右側を先端部（先端側）という。継手本体１２はほぼ円筒状に形成され、その内部の貫通孔１５を水が流通するようになっている。前記案内筒部１４にはパイプ１１の端部が外嵌されて接続されるようになっている。パイプ１１は、ポリオレフィン（架橋ポリエチレン、ポリブテン等）等の合成樹脂や、合金（真鍮、青銅等）等の金属により形成されている。
【００２４】
継手本体１２の中央部には、スパナなどの工具を係合するための軸線方向から見て六角形状をなす工具係合部１６が設けられている。継手本体１２の先端側には、継手本体１２を構成するほぼ円筒状の胴筒体１７が雄ねじ１８と雌ねじ１９との螺合関係により連結されている。
【００２５】
胴筒体１７の先端外周のねじ部２０には継手本体を構成する締付ナット２１が螺合され、胴筒体１７の先端面と締付ナット２１内周の第１段部２３との間に抜け止めリング（ロックリング）２２のベースリング２２ａが保持されている。図３に示すように、抜け止めリング２２は、円環状をなす外周側の該ベースリング２２ａと、そのベースリング２２ａの内周部から折曲げられて斜めに延びる複数枚の規制片２２ｂとを備えている。抜け止めリング２２はステンレス鋼により厚さ０．２〜０．３ｍｍに形成され、規制片２２ｂはパイプ１１の差し込み方向に傾斜し、その傾斜角度（継手本体１２の軸線方向に対する傾斜角度）は約４５度に設定されている。なお、図１に示すように、胴筒体１７と締付ナット２１とのねじ部２０にはシール材２４が装着され、胴筒体１７と締付ナット２１との間の水のシールと締付ナット２１の緩み止めの機能を果たしている。
【００２６】
締付ナット２１の内周面には、前記第１段部２３より先端側に連なる第２段部２５が形成され、さらにその第２段部２５より先端側に連なる傾斜面２６が形成されている。この傾斜面２６の傾斜角度（継手本体１２の軸線方向に対する傾斜角度）は約３０度に設定されている。前記案内筒部１４の外周面と、胴筒体１７及び締付ナット２１の内周面との間の空間部にパイプ１１が差し込まれるパイプ差し込み空間２７が形成されている。
【００２７】
締付ナット２１の内側空間で前記抜け止めリング２２と締付ナット２１の第２段部２５及び傾斜面２６との間には、金属製の補助リング２８が介装されている。図４（ａ）及び（ｂ）に示すように、補助リング２８は１箇所に切り込み２８ａが設けられ、軸線方向から見てほぼＣ字状に形成され、縮径可能になっている。図２に示すように、この補助リング２８は、抜け止めリング２２の規制片２２ｂに接触して規制片２２ｂの縮径により縮径方向に付勢される接触部２９と、パイプ差し込み空間２７に差し込まれたパイプ１１を周囲から締め付けてその抜け出しを抑える締付部３０とを備えている。補助リング２８の接触部２９には約４５度の傾斜角度を有する斜面３１が形成され、差し込まれたパイプ１１に引き抜き力が加わって抜け止めリング２２の規制片２２ｂの傾斜が大きくなったとき規制片２２ｂの傾斜を制限するようになっている。
【００２８】
補助リング２８の先端部には傾斜角度約３０度のテーパ面３２が設けられ、締付ナット２１の前記傾斜面２６に係合されている。補助リング２８の基端側外周面には、その軸線方向と直交方向に延び、抜け止めリング２２のベースリング２２ａに係合する保持突起３３が設けられ、補助リング２８が抜け止めリング２２の軸線に対して傾かないように保持されている。この保持突起３３の先端面と締付ナット２１の第２段部２５との間には空間が形成され、補助リング２８が先端側へ移動可能になっている。前記抜け止めリング２２のベースリング２２ａは、胴筒体１７の先端面と補助リング２８の保持突起３３基端面との間に保持されている。この場合、ベースリング２２ａの外周部先端面と締付ナット２１の第１段部２３との間には隙間ｓ（図４（ａ）参照）が形成され、抜け止めリング２２がパイプ１１の回動によって回動できるようになっている。係る隙間ｓは、０．１〜０．４ｍｍに形成されることが好ましい。
【００２９】
図４（ａ）に示すように、補助リング２８の締付部３０内周面には、内方へ突出されパイプ１１に圧接される突出部３４が設けられ、その突出部３４の内周が平坦面３５に形成されるとともに、突出部３４の基端部にはパイプ１１に食い込む食い込み用角部（直角部）３６が形成されている。補助リング２８の内径は特に制限されず、パイプ１１の外径より小さくてもよいが、パイプ差し込み空間２７へのパイプ１１の差し込み時の抵抗をなくして差し込みを容易にするため、パイプ１１の外径よりも大きくなるように設定することが好ましい。
【００３０】
図１及び図２に示すように、前記案内筒部１４の基端側には２つの環状溝３７が凹設され、それぞれ異なる形状のシールリング３８が嵌着され、案内筒部１４の外周面とパイプ差し込み空間２７に差し込まれたパイプ１１の内周面との間で水をシールするようになっている。案内筒部１４の先端部にはパイプ１１の内周面を押圧し、前記補助リング２８の突出部３４と協働してパイプ１１の抜け止めを行う鍔部３９が設けられている。この鍔部３９はパイプ１１の差し込み時にパイプ１１の変形を矯正する機能をも有している。なお、胴筒体１７にはパイプ１１の差し込み具合を確認するための確認孔４０が複数（本実施形態では６個）設けられている。この確認孔４０は、内部が透視でき、かつごみが入らないような透明樹脂フィルムで覆われている。
【００３１】
さて、本実施形態の作用について説明すると、図６（ａ）に示すように、パイプ１１を締付ナット２１の開口端よりパイプ差し込み空間２７に差し込むと、パイプ１１は補助リング２８の内部を通り、抜け止めリング２２の規制片２２ｂに摺接し、規制片２２ｂを拡径変形させながらパイプ差し込み空間２７の最も奥に到って止まる。このとき、補助リング２８の内径はパイプ１１の外径より大きく設定されているため、パイプ１１差し込み時の抵抗はなく、抜け止めリング２２を通過するときには抜け止めリング２２が１枚であるため、差し込み時の抵抗は少なく、パイプ１１の差し込みを円滑に行うことができる。
【００３２】
次に、図６（ｂ）に示すように、パイプ１１に引き抜き力が加わったときには、抜け止めリング２２の規制片２２ｂがパイプ１１の外周部に食い込み、その軸線方向に対する規制片２２ｂの傾斜角度が大きくなる。そのため、補助リング２８の斜面３１に規制片２２ｂの傾斜による力が加えられ、補助リング２８は縮径方向（内方）へ付勢されると同時に、先端側へ付勢される。このとき、補助リング２８のテーパ面３２が締付ナット２１の傾斜面２６に係合しているため、補助リング２８の先端部は締付ナット２１の傾斜面２６に沿って斜め下方へ移動する。従って、補助リング２８の突出部３４における平坦面３５がパイプ１１の外周面を押圧して締付ける。
【００３３】
図６（ｃ）に示すように、パイプ１１にさらに強い引き抜き力が加わったときには、抜け止めリング２２の規制片２２ｂがパイプ１１の外周部に深く食い込み、その軸線方向に対する規制片２２ｂの傾斜角度が一層大きくなる。このため、補助リング２８の斜面３１に規制片２２ｂの傾斜による強い力が加えられ、補助リング２８の保持突起３３の外周面が締付ナット２１の内周面から離間して内方及び先端側へ大きく付勢される。従って、補助リング２８の突出部３４の平坦面３５がパイプ１１の外周面を強く押圧して締付けると同時に、食い込み用角部３６がパイプ１１の外周部に食い込む。その結果、案内筒部１４先端の鍔部３９がパイプ１１の内周部に接触して食い込む。よって、抜け止めリング２２のパイプ１１への食い込みに加え、補助リング２８の締付け及び食い込み並びに案内筒部１４の鍔部３９によるパイプ１１の押圧及び食い込みにより、パイプ１１の抜け止めが確実に行われるとともに、パイプ１１への規制片２２ｂの過度の食い込みが制限される。
【００３４】
以上詳述した実施形態によって発揮される効果を以下にまとめて説明する。
・  本実施形態の継手１０においては、継手本体１２内には、抜け止めリング２２の縮径に伴って縮径し、パイプ１１を締め付けて抜け出しを補助的に規制する補助リング２８が備えられている。このため、パイプ１１に引き抜き力が加わったとき、抜け止めリング２２と補助リング２８とがパイプ１１の抜け止めに協働して作用する。従って、接続されたパイプ１１の抜け出しを効果的に抑制することができるとともに、パイプ１１に引き抜き力が瞬時に加わったときでもパイプ１１が切断される事態を回避することができる。
【００３５】
・  前記補助リング２８は、抜け止めリング２２に接触して抜け止めリング２２の縮径により縮径方向に付勢される接触部２９と、その接触部２９の動きに基づきパイプ１１を締め付けてその抜け出しを抑える締付部３０とを備えている。このため、パイプ１１に引き抜き力が加わったとき、抜け止めリング２２の縮径により接触部２９が縮径方向に付勢され、締付部３０がパイプ１１を締め付けることができる。
【００３６】
・  前記抜け止めリング２２は、円環状のベースリング２２ａと、そのベースリング２２ａの内周部からパイプ１１の差し込み方向へ傾斜して延びる規制片２２ｂとを備え、パイプ１１に引き抜き力が作用したとき規制片２２ｂが傾斜してパイプ１１に食い込むようになっている。また、補助リング２８の接触部２９には規制片２２ｂの傾斜による抜け止めリング２２の縮径に基づいて縮径方向に付勢され、かつ規制片２２ｂの傾斜を制限する斜面３１を有している。このため、パイプ１１に引き抜き力が加わって規制片２２ｂが傾斜したとき、その傾斜が補助リング２８の斜面３１に受け止められる。従って、パイプ１１に対する抜け止めリング２２の規制片２２ｂの食い込みを抑制することができる。
【００３７】
・  また、抜け止めリング２２は、継手本体１２の先端部とその先端部に螺合される締付ナット２１とによって回動可能に保持されるとともに、前記補助リング２８の先端部にはテーパ面３２が設けられ、締付ナット２１の内周面には前記テーパ面３２に係合する傾斜面２６が設けられている。このため、パイプ１１に引き抜き力が加わって抜け止めリング２２を介して補助リング２８に縮径力が作用したとき、補助リング２８のテーパ面３２が締付ナット２１の傾斜面２６に係合して補助リング２８が縮径方向に力を受ける。従って、補助リング２８がパイプ１１を安定した状態で締付けることができる。
【００３８】
・  補助リング２８の内径は、パイプ１１の外径よりも大きく設定されていることから、継手本体１２に対するパイプ１１の差し込み時における抵抗を回避でき、差し込み操作を容易に行うことができる。
【００３９】
・  補助リング２８の外周面には、抜け止めリング２２に係合して抜け止めリング２２の軸線に対して傾かないように保持するための保持突起３３が設けられていることから、補助リング２８によるパイプ１１の締付け操作を安定して行うことができる。
【００４０】
・  補助リング２８の締付部３０内周面には、パイプ１１の外周面に圧接される突出部３４が設けられるとともに、その突出部３４の内周が平坦面３５に形成されるとともに、突出部３４の基端部にはパイプ１１に食い込む食い込み用角部３６が形成されている。このため、補助リング２８によるパイプ１１の締付け時に突出部３４の平坦面３５がパイプ１１の外周面に面接触してパイプ１１を効果的に締付けることができるとともに、食い込み用角部３６がパイプ１１にしっかりと食い込んでパイプ１１の抜け止め効果を向上させることができる。
【００４１】
・  継手本体１２内には、パイプ１１が外嵌される案内筒部１４が突設され、該案内筒部１４の先端にはパイプ１１の内周面を押圧し前記補助リング２８の突出部３４と協働してパイプ１１の抜け止めを行う鍔部３９が設けられている。従って、補助リング２８の突出部３４がパイプ１１を外周部から押圧して締付け、その押圧力によって案内筒部１４の鍔部３９がパイプ１１の内周部からパイプ１１を押圧して締付けるため、パイプ１１の抜け止め効果を一層向上させることができる。
【００４２】
・  補助リング２８は、その軸線方向から見てＣ型に形成されているため、補助リング２８の拡縮が簡単に行われ、パイプ１１の抜け止めを容易に行うことができる。
・  抜け止めリング２２のベースリング２２ａ外周部先端面と締付ナット２１の第１段部２３との間には隙間ｓが設けられ、ベースリング２２ａが胴筒体１７の先端面と補助リング２８の保持突起３３基端面とによって位置決め保持され、かつ補助リング２８が移動可能に構成されている。このため、抜け止めリング２２は回動可能になっており、パイプ１１の回動に追従して回動することができる。
（第２実施形態）
この第２実施形態では、補助リング２８を図５（ａ）、（ｂ）に示すような形状に変更し、その他は第１実施形態と同様に継手１０を構成した。従って、第１実施形態と異なる部分について主に説明し、第１実施形態と同じ部分については説明を省略する。
【００４３】
図５（ａ）、（ｂ）に示すように、補助リング２８の締付部３０の長さを第１実施形態よりも長く設定するとともに、締付部３０の先端部から基端部側へ保持突起３３の位置に到るまでスリット４１が切り込み形成されている。このスリット４１は補助リング２８の周方向に一定間隔をおいて８箇所に設けられている。そのため、補助リング２８はこれらのスリット４１によって縮径可能になっている。従って、補助リング２８の拡縮が簡単に行われ、パイプ１１の抜け止めを容易に行うことができる。
【００４４】
なお、前記実施形態を次のように変更して構成することもできる。
・  前記案内筒部１４を省略するとともに、パイプ差し込み空間２７に面する胴筒体１７の内周部に環状溝を設け、その環状溝にシールリングを嵌着するように構成することもできる。
【００４５】
・  前記継手本体１２と胴筒体１７とを一体に形成することもできる。
・  前記案内筒部１４を継手本体１２とは別体で構成し、ねじで螺合するように構成することもできる。
【００４６】
・  前記保持突起３３は、周方向に所定間隔をおいて間欠的に設けることもできる。
・  前記補助リング２８の突出部３４を省略し、締付部３０全体でパイプ１１を締付けるように構成することも可能である。
【００４７】
・  前記補助リング２８の接触部２９を、斜面３１ではなく、円弧面等に形成することもできる。
・  継手本体１２の雄ねじ１８と胴筒体１７の雌ねじ１９との螺合部にシール材を装着することもできる。
【００４８】
・  前記シールリング３８を１本又は３本以上にしたり、確認孔４０を省略したりしてもよい。
・  また、継手１０及びパイプ１１には水を流通させたが、継手１０を温水配管に接続して湯を流通させたり、床暖房、ロードヒーティング用に油、エチレングリコール等を流通させたりしてもよい。
【００４９】
さらに、前記実施形態より把握される技術的思想について以下に記載する。
・  前記突出部は補助リングの締付部の先端部に設けられていることを特徴とする継手。
【図面の簡単な説明】
【００５０】
【図１】第１実施形態の継手にパイプを差し込む前の状態を示す半縦断面図。
【図２】継手にパイプを差し込んだ後の状態を示す半縦断面図。
【図３】抜け止めリングを示す斜視図。
【図４】（ａ）は第１実施形態の補助リングを示す半断面図、（ｂ）は補助リングを示す正面図。
【図５】（ａ）は第２実施形態の補助リングを示す半断面図、（ｂ）は補助リングを示す正面図。
【図６】（ａ）〜（ｃ）は第１実施形態の作用を示す図であって、（ａ）は継手にパイプを差し込んだ状態を示す部分断面図、（ｂ）は継手に差し込まれたパイプを引き抜く状態を示す部分断面図、（ｃ）は継手に差し込まれたパイプを強く引き抜く状態を示す部分断面図。
【符号の説明】
【００５１】
１０…継手、１１…パイプ、１２…継手本体、１７…継手本体を構成する胴筒体、２１…継手本体を構成する締付ナット、２２…抜け止めリング、２２ａ…ベースリング、２２ｂ…規制片、２６…傾斜面、２８…補助リング、２９…接触部、３０…締付部、３１…斜面、３２…テーパ面、３３…保持突起、３４…突出部、３５…平坦面、３９…鍔部。
【図１】
0004762704.tif 000002
【図２】
0004762704.tif 000003
【図３】
0004762704.tif 000004
【図４】
0004762704.tif 000005
【図５】
0004762704.tif 000006
【図６】
0004762704.tif 000007